(57)【要約】      （修正有）【課題】名刺入れに名刺などのカードを入れる際に楽しく、他人を驚かせることができ、興趣に富んだ名刺入れを提供する。【解決手段】名刺大のカードを収納するための第一収納部２が設けられた第一基材３と、カードを収納するための第二収納部４が設けられた第二基材５とから構成され、第一基材３と第二基材５とは、第一収納部２と第二収納部４とが当接するように二つ折り可能に形成され、第一収納部２は第一基材３の表面に第一収納バンド６を備え、第一収納バンド６の一方の端部が第一基材３の裏面側に固定され、第一収納バンド６の他方の端部が第二基材３の第一基材２に隣接する端部の裏面側に固定され、第二収納部４は第二収納バンド７を備え、第二収納バンド７の一方の端部が第二基材３の裏面側に固定され、第二収納バンド７の他方の端部が第一基材３の第二基材５に隣接する端部の裏面側に固定され、第二収納バンド７が二本の第一収納バンド６の間になるようにして名刺入れ１を構成した。【選択図】図１
0003109060.tif 000002
【実用新案登録請求の範囲】
【請求項１】
名刺大のカードを収納するための第一収納部が設けられた第一基材と、カードを収納するための第二収納部が設けられ前記第一基材と同じ大きさに形成された第二基材とから構成され、第一基材と第二基材とは、第一収納部と第二収納部とが当接するように二つ折り可能に形成され、
第一収納部は第一基材の表面に二本のバンドが平行な直線状に取り付けられている第一収納バンドを備え、第一収納バンドの一方の端部が第一基材の裏面側に固定され、第一収納バンドの他方の端部が第二基材の第一基材に隣接する端部の裏面側に固定され、
第二収納部は第二基材の表面に二本のバンドがＸ字状に交叉するように取り付けられている第二収納バンドを備え、第二収納バンドの一方の端部が第二基材の裏面側に固定され、第二収納バンドの他方の端部が第一基材の第二基材に隣接する端部の裏面側に固定され、
第二収納バンドが二本の第一収納バンドの間に取り付けられていることを特徴とする名刺入れ。
【考案の詳細な説明】
【技術分野】
【０００１】
本考案は、名刺などのカードを入れるための名刺入れに関する。
【背景技術】
【０００２】
従来の名刺入れは、例えば名刺を入れる収納部と該収納部の開口部を覆うカバー部とからなり、収納部が内側となるように二つ折りに形成されたものが公知である。
【０００３】
上記名刺入れに名刺などのカードを収納するには、二つ折りのカバー部を開いて、収納部の開口部から名刺などのカードを差込むようにして収納する。名刺入れにカードを収納した後は、二つ折りしてカバー部を閉じて携行することができる。
【考案の開示】
【考案が解決しようとする課題】
【０００４】
しかし上記従来の名刺入れは、単に名刺を収納するだけの機能しか有していないので、名刺入れに名刺を入れる際に、他人を驚かせことができなかった。本考案は、名刺入れに名刺などのカードを入れる際に楽しく、他人を驚かせることができ、興趣に富んだ名刺入れを提供することを目的とする。
【課題を解決するための手段】
【０００５】
本考案は、名刺大のカードを収納するための第一収納部が設けられた第一基材と、カードを収納するための第二収納部が設けられ前記第一基材と同じ大きさに形成された第二基材とから構成され、第一基材と第二基材とは、第一収納部と第二収納部とが当接するように二つ折り可能に形成され、第一収納部は第一基材の表面に二本のバンドが平行な直線状に取り付けられている第一収納バンドを備え、第一収納バンドの一方の端部が第一基材の裏面側に固定され、第一収納バンドの他方の端部が第二基材の第一基材に隣接する端部の裏面側に固定され、第二収納部は第二基材の表面に二本のバンドがＸ字状に交叉するように取り付けられている第二収納バンドを備え、第二収納バンドの一方の端部が第二基材の裏面側に固定され、第二収納バンドの他方の端部が第一基材の第二基材に隣接する端部の裏面側に固定され、第二収納バンドが二本の第一収納バンドの間に取り付けられていることを特徴とする名刺入れ、を要旨とする。
【考案の効果】
【０００６】
本考案の名刺入れは上記構成を採用したことにより、以下の作用を有する。
図３（ａ）〜（ｃ）に示すように、名刺入れの第一収納部２と第二収納部４の間にカード９を挟んで二つ折りして閉じた後に、それまで開かれていた方とは反対側の谷折り部１０が中心線となるように谷折り部８側から開くと、図３（ｄ）に示すように、第一基材３と第二基材５の左右の位置関係が反対になり、左側に第一基材３が位置し、右側に第二基材５が位置する。このとき、第一収納バンド６とＸ字状の第二収納バンド７は、バンドが裏返されて反転した状態になる。すなわち右側の第二基材５の表面に表裏が反転した第一収納バンド６ａが位置し、左側の第一基材３の表面に表裏が反転した第二収納バンド７ａが位置する。反転した第一収納バンド６ａと反転した第二収納バンド７ａは、表裏の区別がないから、図３（ａ）に示す最初に開いた時と同じ状態であると錯覚する。
【０００７】
更に図３（ｄ）に示す状態を見ると、図３（ａ）の第二収納バンド７と第二基材５との間に、カード９が挟まった状態であるかのように、一見すると見える。実際は次の様な状態である。図３（ｃ）に示す状態から、谷折り部８側から名刺入れを開くと、第二収納バンド７が反転して第一基材３側に移動する際にカード９も一緒に第二収納バンド７により中央部が第一基材３側に押さえられる。同時に第一収納バンド６が反転して第二基材５側に移動する際にカード９の長手方向上下部分も第二基材５側に押さえられるが、第一収納バンド６は第二収納バンド７よりも外側にあるから、カード９は反転した第一収納バンド６ａと第二基材５との間を摺り抜けて、第一基材３と反転し第二収納バンド７ａの間に保持される。
【０００８】
図３（ｄ）に示す状態から、図３（ｅ）に示すように名刺入れを二つ折りして閉じて、再び反対側の谷折り部１０側から名刺入れを開いた場合、図３（ｆ）に示すように反転した第二収納バンド７ａが元に戻り、第二収納バンド７が第二基材５の表面に位置すると共に、反転していた第一収納バンド６ａが元に戻り、第一収納バンド６が第一基材３の表面に位置する。カード９は第一基材３の表面に存在し、第一収納バンド７がその上に位置し、第二収納バンド７は第二基材５の表面に位置するので、実際はカード９が第一基材３の表面にある状態は変化していないにもかかわらず、図３（ｄ）の状態に対して、カード９が左側から右側に移動したように見える。
【０００９】
二つに折りした名刺入れを開いてカードを置いて反対側から開くことで、収納バンドと基材との間にカードが挟まってしまうと共に、更に反対側から開くと反対側に移動したように見せることができるために、名刺などのカードを入れる際に楽しく、他人を驚かせることができ、興趣に富んでいるものである。
【考案を実施するための最良の形態】
【００１０】
本考案を、図面を参照して詳細に説明する。図１は本考案の名刺入れの一実施例を示す斜視図である。図１に示すように本考案の名刺入れ１は、表面に名刺などのカードを収納するための第一収納部２が表面に設けられた長方形の第一基材３と、カードを収納するための第二収納部４が表面に設けられ第一基材３と同じ大きさに形成された第二基材５とから構成される。
【００１１】
第一基材３と第二基材５とは、長辺側の隣接する谷折り部８において隣接するように配置されており、第一基材３と第二基材５とは、谷折り部８から谷折りして、名刺入れ１を二つ折りした際に、第一収納部２と第二収納部４とが相対して当接するように構成されている。
【００１２】
第一収納部２は、第一基材３の表面（折り畳んだ際に内側となる方を各基材の表面と言う）に第一収納バンド６が取り付けられている。第一収納バンド６は、第一基材３の長手方向（図１中では上下方向）の中央部よりも両端縁側に近い位置の２ヶ所に、２本のバンドが短手方行の両端縁を結ぶ２本の平行な直線状に設けられている。
【００１３】
第一収納バンド６は、基材の裏面側で固定されているが、基材の表面側の部分は基材表面に接触しているだけで、バンドと基材との間にカードを挟み込んだ状態で収納可能に取り付けられている。なお、第一収納バンド６の第二基材側端部は、第二基材５の谷折り部８側端部に接合して固定されている。
【００１４】
第二収納部４は、第二基材５の表面に第二収納バンド７が取り付けられている。第二収納バンド７は、二本のバンドから構成され、互いにＸ字状に交叉するように取り付けられている。第二収納バンド７は、基材５の裏面側で固定されているが、基材の表面側の部分は第二基材５表面に接触しているだけで、第二収納バンド７と第二基材５との間にカードを挟み込んで収納可能に形成されている。第二収納バンド７の谷折り部８側の端部は、第一基材３の裏面の谷折り部８側端部に接合して固定されている。
【００１５】
第二収納バンド７の取り付け位置は、図１に示すように、第一収納バンド６が設けられている位置に対し内側の位置に設けられる。すなわち、二本の第二収納バンド７は、二本の第一収納バンド６よりも基材の長手方向において内側となる位置に配置されている。
【００１６】
図２は図１の名刺入れの裏面側を示し、第一収納バンドと第二収納バンドの固定状態の説明図である。第一収納バンド６と第二収納バンド７の第一基材３及び第二基材５の裏面側への固定は、図２に示すように、第一収納バンド６の一方の端部６１、６１が第一基材３の裏面の一方の端部側に接合され、第一収納バンド６の他方の端部６２、６２が第二基材５の裏面の一方の端部側に接合されている。また同図に示すように、第二収納バンド７の一方の端部７２、７２が第一基材３の裏面の他方の端部側に接合され、第二収納バンド７の他方の端部７１、７１が第一基材３の裏面の一方の端部側に接合されている。
【００１７】
第一収納バンド６と第二収納バンド７が上記の様に、各基材３、５に接合されていることにより、第一基材３と第二基材５とを収納部側２、４側が当接するように折り畳んで積層した後に、各基材３、５の短手方向の左右のどちらの端縁部からでも開くことが可能に構成される。
【００１８】
第一収納バンド６及び第２収納バンド７は、名刺などのカードを押えることが可能であり、表裏が同一の意匠を有し表裏の見分けが付かないように形成されていればよく、布製のテープ、ゴムバンド、革製紐等、平板状のバンド等を用いることができ、材質は特に限定されない。
【００１９】
第一収納バンド６及び第二収納バンド７の第一基材３及び第二基材５の裏面に対する接合は、接着剤や粘着剤や粘着テープ等を用いた接着や、糸等による縫製等により行うことができる。
【００２０】
図１に示すように、第一基材３及び第二基材５は、中心の芯材と該芯材の表裏の表皮材を積層し積層構造に形成されている。収納バンド６、７は、芯材に接合されていて、基材の裏面側となる収納バンドの接合部は、裏面側に積層した表皮材により覆われていて外部からは見えないように形成されている。第一基材３及び第二基材５の芯材及び表皮材を構成する材料としては、紙、革、合成皮革、紙、布等の、この種の名刺入れに通常使用される材料が利用できる。第一基材３及び第二基材５の大きさは、通常の名刺をカバーできる大きさであればよい。
【００２１】
図３（ａ）〜（ｆ）は本考案の名刺入れの使用方法の説明図である。まず図３（ａ）に示すように、名刺入れ１を開く。同図では、図中右側に第一収納部２が位置し左側に第二収納部４が位置するように開いたが、この位置関係が反対になるように開いても良い。次いで、図３（ｂ）に示すように、第一収納部２の第一収納バンド６、６の上にカード９の表面が上になるように置く。
【００２２】
図３（ｃ）に示すように、第二収納部４と第一収納部２の上のカード９とが当接するように第二基材５を第一基材３の上になるように右側に二つ折りする。図３（ｄ）に示すように、第二基材５を右側に開くと、第一基材３の表面にカード９が位置し、該カード９の上に反転した第二収納バンド７ａ、７ａが位置し、開いた第二基材５の表面には反転した第一収納バンド６ａ、６ａが位置する。この状態を図３（ｂ）の状態と比較すると、あたかも右側の第一収納バンド６、６の上にあったカード９が、第二基材５と第二収納バンド７の間に移動したかのように見える。
【００２３】
図３（ｅ）に示すように、第二基材５を左側に閉じて、第一基材３の上になるように積層し、更に第二基材を左側に開くと、同図（ｆ）に示すように、第一基材３の表面のカード９の上に元に戻った状態の第一収納バンド６、６が位置し、左側の第二基材５の表面に元に戻った第二収納バンド７、７が位置する。その結果、図３（ｄ）に示す左側の収納バンドと基材の間にあったカードが、あたかも右側の収納バンドと基材との間に移動したように錯覚する。また、図３（ｂ）に示す最初に名刺入れの第一収納バンド６の上にカード９を置いた状態に対し、カード９が第一収納バンド６の下に移動したことになる。このように、カードを挟んで開閉を繰り返すだけで、カードが収納バンドの下に収納される。
【００２４】
本考案名刺入れ１に収納可能なカードとしては、名刺以外に、クレジットカード、キャッシュカード、テレホンカード、その他のカード等の名刺大のカードであれば、いずれも利用できる。
【図面の簡単な説明】
【００２５】
【図１】本考案の名刺入れの一例を示し、収納部側から見た状態を示す斜視図である。
【図２】図１の名刺入れの裏面側を示し、第一収納バンドと第二収納バンドの固定状態の説明図である。
【図３】（ａ）〜（ｆ）は図１の名刺入れの使用方法の説明図である。
【符号の説明】
【００２６】
１    名刺入れ
２    第一収納部
３    第一基材
４    第二収納部
５    第二基材
６    第一収納バンド
６ａ  反転した第一収納バンド
７    第二収納バンド
７ａ  反転した第二収納バンド
８    谷折り部
９    カード
【図１】
0003109060.tif 000003
【図２】
0003109060.tif 000004
【図３】
0003109060.tif 000005